(57)【要約】      （修正有）【課題】枕の大きさ、形状を種々変えることができ、宿泊先でも使用できる携帯用旅行枕の提供。【解決手段】枕が、凹状形の部分と凸状形の部分と平面状形の三つの部分から成り、それぞれの部分を留め具で接合したり分離したりできる構造とし、使用する目的によって三つの部分を、単独での使用を含めて、適宜組み合わせて使用することができることを特徴とする携帯用旅行枕。【選択図】図１
0003137087.tif 000002
【実用新案登録請求の範囲】
【請求項１】
枕が、凹状形の部分と凸状形の部分と平面状形の三つの部分（図１）から成り、それぞれの部分を留め具で接合したり分離したりできる構造とし、使用する目的によって三つの部分を、単独での使用も含めて、適宜組み合わせて使用することができることを特徴とする携帯用旅行枕。
【請求項２】
請求項１に於いて、凹状形の部分に、その大きさ、形状を自在に変えるための留め具を複数取り付け（図１）、（図２）留め具を噛み合わせる位置を変えることによって、凹状形の部分の大きさ、形状（図３  Ｕ字形）、（図４  Ｖ字形）変え、使用する人の頭の大きさ、頭の形に合わせることができることを特徴とした携帯用旅行枕。
【請求項３】
請求項１において、凹状形の部分と凸状形の部分と平面状形の部分を組み合わせ、凹状形の部分に凸状形の部分を重ね合わせて箱形状（図５）とし、高さは、タオル等を挟み込んで調節し、それを平面状形の部分と留め具で包み込むようにして枕として整え、宿泊先でも使用することができることを特徴とした携帯用旅行枕。
【請求項４】
請求項１、請求項２に於いて、凹状形の部分単独で、若しくは凹状形の部分と平面状形の部分を留め具で接合、又は縫合して、航空機、新幹線の座席の背もたれ上部にある既設の面ファスナーに固定することができる面ファスナー（図６）を取り付けた携帯用旅行枕。
【考案の詳細な説明】
【技術分野】
【０００１】  本考案は、使用する人の頭の大きさ、頭の形状に合わせて、枕の大きさ、形を自在に変えることができる携帯用旅行枕に関するものである。
【背景技術】
【０００２】  従来の携帯用旅行枕は、大きさ、形状が一定で、使用する人の頭の大きさ、頭の形状が一人ひとり異なっているにもかかわらず、頭に合わせて枕の大きさ、形状を変えることができる枕はなかった。また、使用目的も乗り物用で、宿泊先でも使用できる枕はなかった。宿泊先に備え付けられている枕は、一種類の場合が殆どで、硬めの枕を望んでも柔らかい枕しかないことが多い。
特に、海外旅行での宿泊先では、柔らかい枕が圧倒的に多く、これを苦手とする人は睡眠を十分取ることができない。
【考案の開示】
【考案が解決しようとする課題】
【０００３】  航空機、新幹線に乗っている時は、座席に座っていても乗り物の揺れによって、頭が常に不安定な状態にさらされている。頭が不安定であると、当然のことながら、体全体もそれに比例して不安定になり、疲れが増幅する上に睡眠も十分とることができない。
頭を安定させるには、枕を座席の背もたれ上部に固定するだけでは不十分で、枕を使用する人の頭の大きさ、頭の形状に会わせることが不可欠である。枕が大きすぎても、小さくても、形状が頭にフィットしていない場合も、疲れを軽減できない。
宿泊先では、乗り物のように揺れはないが、十分な睡眠がとれるかどうかは、枕の感触、硬さ、柔らかさが大きな要因となる。
海外旅行の宿泊先では、柔らかい枕が多く、中には、頭と肩がすっぽり入ってしまう枕もある。柔らかい枕が苦手の人は、寝つきにくいし、十分な睡眠もとれない。
【課題を解決するための手段】
【０００４】  そこで本考案は、その欠点を除き、課題を解決するために、枕を、凹状形の部分、凸状形の部分、平面状形の部分の三つの部分から成る構造とし、それぞれの部分を留め具で接合、分離できるようにし、使用目的によってそれぞれの部分を、単独での使用も含めて、適宜組み合わせて使用できるようにした。
航空機、新幹線では、凹状形の部分を単独で又は、凹状形の部分と平面状形の部分を組み合わせて使用する。凹状形の部分の大きさ、形状を変えるため、凹状形の部分には、複数の留め具（ホック、面ファスナー、ボタン）を取り付け、その留め具を噛み合わせる位置をいろいろ変えることにより、凹状形の部分（図１）、（図２）、の大きさ、形状（図３）、（図４）を変えて、使用する人の頭の大きさ、頭の形状に一番フィットする大きさ、形状にして、座席の背もたれ上部の既設のフック状面ファスナーに、固定して使用することができるようにした。
宿泊先では、凹状形の部分と凸状形の部分と平面状形の部分の組み合わせとし、凹状形の部分に凸状形部分を重ね合わせ箱状形とし、頭を乗せる部分が平らになるようにし、高さは、タオル等を挟み込んで好みの高さに調節し平面状形の部分と留め具で包み込むようにして枕の形を整え、やや硬めの枕として使用きるようにした。
本考案による枕は、航空機、新幹線では、（図３）、（図４）、に示すとおり枕の大きさ、形状を留め具（ホック、面ファスナー、ボタン）で簡単に変えて、使用する人の頭にフィットさせて使用することができ、また、（図５）で示すように箱形状で、やや硬の枕として、宿泊先でも使用できる便利な携帯用旅行枕である。
【考案の効果】
【０００５】  人によって頭の大きさ、形状は異なっているが、一つの枕をいろいろな大きさ、形状に変えることができ、誰の頭にも簡単にフィットさせることができ、快適な枕として使用できる。
航空機、新幹線、加えて宿泊先でも使用でき、しかも軽量なので、携帯に便利である。
【考案を実施するための最良の形態】
【０００６】  本考案による枕は、航空機、新幹線では、（図３）、（図４）に示すとおり枕の大きさ、形状を留め具（ホック、面ファスナー、ボタン）で簡単に変えて、使用する人の頭にフィットさせて使用することができ、また、（図５）で示すように箱形状でやや硬めの枕として、宿泊先でも使用できる便利な携帯用旅行枕である。
【図面の簡単な説明】
【０００７】
【図１】本考案の正面図である。
【図２】本考案の斜視図（凹状形の部分と凸状形の部分）である。
【図３】本考案の正面図（凹状形の部分と平面状形の部分  Ｕ字形）である。
【図４】本考案の正面図（凹状形の部分と平面状形の部分  Ｖ字形）である。
【図５】本考案の側面図（箱形状）である。
【図６】本考案の正面図裏側（凹状形の部分と平面状形の部分）
【符号の簡単な説明】
【０００８】１      凹状部分。
２      凸状部分。
３      ループ状面ファスナー。
４      Ｕ字形部分。
５      Ｖ字形部分。
６      留め具。
７      接合部分。
８      平面状部分
【図１】
0003137087.tif 000003
【図２】
0003137087.tif 000004
【図３】
0003137087.tif 000005
【図４】
0003137087.tif 000006
【図５】
0003137087.tif 000007
【図６】
0003137087.tif 000008
【手続補正書】
【提出日】平成19年8月4日(2007.8.4)
【手続補正１】
【補正対象書類名】実用新案登録請求の範囲
【補正対象項目名】全文
【補正方法】変更
【補正の内容】
【実用新案登録請求の範囲】
【請求項１】
枕が、凹状形の部分と凸状形の部分と平面状形の三つの部分から成り、それぞれの部分を留め具で接合したり分離したりできる構造とし、使用する目的によって三つの部分を、単独での使用を含めて、適宜組み合わせて使用することができることを特徴とする携帯用旅行枕。
【請求項２】
請求項１記載に於いて、凹状形の部分の大きさや形状を変えるため、凹状形の部分に留め具を複数取り付け、その留め具の噛み合わせる位置を変えることによって、凹状形の部分の大きさや形状を自在に変えて、使用する人の頭の大きさ、頭の形に合わせることができることを特徴とした携帯用旅行枕。
【請求項３】
請求項１記載に於いて、凹状形の部分に凸状形の部分を重ね合わせて箱状形の枕とする。
枕の高さは、箱状形の枕と平面状形の部分の間にタオルなどを挟み、これを平面状形の部分で包み込むように留め具で固定して調節し、箱状形の枕として宿泊先でも使用することができることを特徴とした携帯用旅行枕。
【請求項４】
請求項１または請求項２記載に於いて、凹状形の部分単独で、若しくは凹状形の部分と平面状形の部分を留め具で接合、または縫合して、航空機、新幹線の座席の背もたれ上部に既設の面ファスナーに、固定することができる面ファスナーを取り付けた航空機、新幹線で使用する携帯用旅行枕。